(57)【要約】【課題】  冷陰極管を光源とした照明器具において、輝度むらを無くし、高い光量を確保する。【解決手段】  螺旋状に巻回した冷陰極管を光源としたランプユニット１０をライトベース１上に複数個配した照明器具において、ランプユニットが位置する箇所の下方を凹面２に形成するとともに、反射性能を高めるための表面処理を施す。【選択図】      図１
2013214380.tif 000002
【特許請求の範囲】
【請求項１】
螺旋状に巻回した冷陰極管を光源としたランプユニットをライトベース上に複数個配した照明器具において、ランプユニットが位置する箇所の下方を凹面に形成するとともに、反射性能を高めるための表面処理を施したことを特徴とする照明器具。
【請求項２】
凹面は球面状である請求項１記載の照明器具。
【請求項３】
凹面はすり鉢状である請求項１記載の照明器具。
【請求項４】
ライトベース上のランプユニットが位置する箇所の下方を凹陥させることにより、凹面とした請求項１または２記載の照明器具。
【請求項５】
凹面に形成した反射部材上にランプユニットを取り付け、上記反射部材をライトベース上に取り付けた請求項１または２記載の照明器具。
【請求項６】
ライトベースを中央に向かって盛り上がる山状に構成し、ランプユニットのうちの一部を山の頂部となる中央に配し、他のランプユニットを山の裾野となる同心円上に分散して配した請求項１から５のいずれかに記載の照明器具。
【発明の詳細な説明】
【技術分野】
【０００１】
この発明は冷陰極管を光源とした照明器具に関し、より詳細には輝度むらを無くし、高い光量を確保した照明器具に関する。
【背景技術】
【０００２】
冷陰極管を光源のランプとした照明器具においてその光量を高めるためには、高い光量を有するランプを照明器具内に収容すればよいことは自明である。
【０００３】
一方、蛍光管を螺旋状に巻回したランプや、冷陰極管を螺旋状に巻回したランプが公知である（特許文献１、２）。
【先行技術文献】
【特許文献】
【０００４】
【特許文献１】特開２００６−２４４９１２号公報
【特許文献２】特開平５−８９８３４号公報
【特許文献３】実用新案登録第３１７３５４４号公報
【発明の概要】
【発明が解決しようとする課題】
【０００５】
ランプの光量を高めるためにはランプの全長を長くしなければならない。しかしながら、ランプの全長が長くなればそれを収容する照明器具の全長も長くなり、照明器具が大型化する問題を生じた。
【０００６】
そこで、適当な長さに押さえたランプを複数本用意し、これを一つの照明器具内に収容することが想定できる。この場合、照明器具をもっともコンパクトにするためには、それを正方形に構成することが想定できるが、そうすると一つの照明器具に対するランプの本数が多くなり過ぎ、その分、ランプのコストが嵩みほか、ソケットの数や点灯回路の数が多くなるのでそのコストも嵩む問題が生じる。
【０００７】
一方、前記の冷陰極管を螺旋状に巻回したランプの場合、縦横比を等しくした領域内に可及的に長く構成した冷陰極管を収容できるので、コンパクトでありながら高い光量を確保した照明器具を実現することができる。
【０００８】
しかしながら、管径を太くできない冷陰極管の場合、一本の冷陰極管で充分な光量を確保しようとすると巻き数が多い長大な長さのランプとなってしまう。その結果、直線上の管を熱で軟化させながら巻回して製造する螺旋状の冷陰極管の場合、巻き数が過大となって製造が大変困難となり、また、管径と全長比が過大となるので外力に対し脆くなる問題も生じた。
【０００９】
そこで、本願出願人は、先に、螺旋状に巻回した冷陰極管を光源としたランプユニットをライトベース上に複数個配した照明器具にして、ランプユニットのうちの一部を中心に配し、その同心円上に他のランプユニットを分散して配した照明器具を提案している（特許文献３）。
【００１０】
ところで、管を螺旋状に巻回して得られるランプにおいては、隣接する管同士の隙間によりランプ全体として見た場合に輝度むらが生じる問題が指摘されている（前記特許文献１）。前記の指摘は管径が太い蛍光管に関してのものであるが、管径がより細く、隣接する管同士の隙間との相対比が大きくなる冷陰極管の場合はこの問題はより顕著化することになる。
【課題を解決するための手段】
【００１１】
この発明は、以上の問題点を解決した照明器具を提供することを目的として創作されたものであり、螺旋状に巻回した冷陰極管を光源としたランプユニットをライトベース上に複数個配した照明器具において、ランプユニットが位置する箇所の下方を凹面に形成するとともに、反射性能を高めるための表面処理を施したことを特徴とする。
【００１２】
また、請求項２に記載の照明器具は、前記の照明器具において、ランプユニットが位置する箇所の下方の凹面を球面状としたことを特徴とする。
【００１３】
また、請求項３に記載の照明器具は、前記の照明器具において、ランプユニットが位置する箇所の下方の凹面をすり鉢状としたことを特徴とする。
【００１４】
また、請求項４に記載の照明器具は、前記の照明器具において、ライトベース上のランプユニットが位置する箇所の下方を凹陥させることにより、凹面としたことを特徴とする。
【００１５】
また、請求項５に記載の照明器具は、前記の照明器具において、凹面に形成した反射部材上にランプユニットを取り付け、上記反射部材をライトベース上に取り付けたことを特徴とする。
【００１６】
また、請求項６に記載の照明器具は、前記の照明器具において、ライトベースを中央に向かって盛り上がる山状に構成し、ランプユニットのうちの一部を山の頂部となる中央に配し、他のランプユニットを山の裾野となる同心円上に分散して配したことを特徴とする。
【発明の効果】
【００１７】
一般に、ランプの背後に凹面を形成する反射板を位置させることは周知の技術であり、これ自体には何の目新しさもない。
【００１８】
しかしながら、前記の周知技術の作用は凹面鏡を構成する反射板の焦点箇所に白熱灯等の点状の光源となるランプを位置させることにより、ランプの長手方向において集光する点に求められるものであり、線状の光源を螺旋状に巻回した本願発明の場合とはバッククラウンドを全く異にするものである。
【００１９】
本願発明においては、光源は螺旋状に発光するものであり、そこから背後に入射される光は背後の凹面により乱反射し、これが前方からの光と混合することによって輝度分布を均一にして輝度むらを解消するとともに、ランプユニットの全面をほぼ均等な光量の光で照明することができ、結果的に高い光量を確保した照明器具が実現されることとなる。
【００２０】
前記の場合、請求項４記載の発明のように、ライトベース上のランプユニットが位置する箇所の下方を凹陥させることにより凹面とすれば、極めて簡単な構造により前記作用を実現することが可能となる。
【００２１】
また、請求項６記載の発明のように、ライトベースを中央に向かって盛り上がる山状に構成し、ランプユニットのうちの一部を山の頂部となる中央に配し、他のランプユニットを山の裾野となる同心円上に分散して配せば、照明器具全体としてみれば光が放射状に拡散し、より広い範囲に照明光が届く照明器具となる。
【図面の簡単な説明】
【００２２】
【図１】この発明の照明器具のカバーを外した状態の平面図。
【図２】同上、ランプユニットを外した状態の平面図。
【図３】この発明の照明器具の要部の分解斜視図。
【図４】図１のＡ−Ａ線端面図。
【図５】この発明の照明器具のカバーを付けた状態の平面図。
【図６】同上側面図。
【図７】この発明の照明器具の異なる実施例の要部の分解斜視図。
【発明を実施するための形態】
【００２３】
以下、この発明の具体的実施例を添付図面に基づいて説明する。この実施例では照明器具として天井直付け灯を想定している。図１はこの発明の照明器具のカバーを外した状態の平面図である。図中符号１は表面に光源となるランプユニット１０が複数個配されるライトベースである。このライトベース１は、裏面が天井などの被取付箇所との取付面となる取り付けベース５上に重ねられるとともに、周側複数箇所に設けられる押さえ板６により離脱しないように取り付けベースに固定される（図４参照）。なお、図中符号５Ａは天井などの被取付箇所に固定されるシーリングコンセントに着脱するための取り付けプラグ（図示せず）を取り付けるために取り付けベース５中央に開口される取り付け穴である。
【００２４】
図２は前記のライトベース１からランプユニットを外した状態を示す図である。図中符号２および２Ａはランプユニット１０が位置する箇所の下方に形成される凹面であり、ここではライトベース１上のランプユニットが位置する箇所の下方を凹陥させることにより凹面を形成している。ここでは凹面の形状として球面状のものを採用しているが（図３参照）、形状はこれに限らず直線的なテーパ面からなるすり鉢状のものであってもよい。
【００２５】
前記の凹面２、２Ａには反射性能を高めるための表面処理が施される。この種の表面処理としては樹脂系塗料による白色や金属色のコーティングの他、ライトベース全体に反射性能に富んだ塗装を施すことなどが想定される。
【００２６】
ここでは、光が放射状に拡散してより広い範囲に照明光が届くよう、ライトベース１を中央に向かって盛り上がる山状に構成し、山の頂部となる中央に１つのランプユニット１０Ａを配し、山の裾野に同心円上に他の５つのランプユニット１０を均等に分散して配している。前記の各凹部はこれに対応して設けられるが、中央に設けられる凹部２Ａはその箇所のライトベース１の円形の領域が他の領域に対して分離して取り外し自在とされる。これは、照明器具の天井面への取り付けに際し、前記ライトベース１の円形の領域を外すことによりライトベースに窓を生じさせ、窓を通して照明器具の天井への取り付け作業を行うためのものである。
【００２７】
なお、以上のランプユニットの配置および個数は前記のものに限られないことは勿論である。
【００２８】
図７はこの発明の照明器具の凹面の異なる実施例を示す図である。ここでは凹面２２に形成した反射部材２０上にランプユニットを取り付け、上記反射部材をライトベース１上に取り付けている。
【符号の説明】
【００２９】
１        ライトベース
２        凹面
２Ａ      凹面
１０      ランプユニット
１０Ａ    ランプユニット
【図１】
2013214380.tif 000003
【図２】
2013214380.tif 000004
【図３】
2013214380.tif 000005
【図４】
2013214380.tif 000006
【図５】
2013214380.tif 000007
【図６】
2013214380.tif 000008
【図７】
2013214380.tif 000009